【事件の表示】
　特願２００１−２２６５５８「高周波スイッチ」拒絶査定不服審判事件〔平成１５年　２月　７日出願公開、特開２００３−　３７５２０〕について、次のとおり審決する。
【結　論】
　本件審判の請求は、成り立たない。
【理　由】
１．手続の経緯・本願発明
　本願は、平成１３年７月２６日の出願であって、その請求項２に係る発明は、平成１５年９月２６日付け、及び平成１６年４月２日付けの手続補正書により補正された明細書及び図面の記載からみて、特許請求の範囲の請求項２に記載されたとおりの次のものと認める。（以下、「本願発明」という。）
「送信用ポートと、
　二つのアンテナ用ポートおよび二つの外部接続用ポートと、
　前記送信用ポートと前記二つのアンテナ用ポートおよび二つの外部接続用ポートとを接続する複数の送信信号伝送経路と、
　前記送信信号伝送経路のそれぞれに設けられた複数の主スイッチング素子と、
　前記送信用ポートと前記複数の主スイッチング素子との間に接続され、二つの送信信号伝送経路を切り替えるためのスイッチング素子を有する送信側パス回路と、
　前記送信側パス回路と前記主スイッチング素子との間に接続されるフィルタと、を備え、
　前記送信側パス回路は、シングルモードのときは前記フィルタを介さない送信信号伝送経路に切り換え、デュプレクスモードのときは前記フィルタを介する送信信号伝送経路に切り替えること、
　を特徴とする高周波スイッチ。」
　　
２．引用例
　これに対して、原査定の拒絶の理由に引用された特開平４−１５４３２２号公報（以下、「引用例１」という。）、及び特開平９−１３０２９３号公報（以下、「引用例２」という。）には、それぞれ、図面とともに次の事項が記載されている。
　
（引用例１）
Ａ．「〔産業上の利用分野〕
　本発明は、自動車電話システムの自動車電話機に適用して好適なデュアルモード通信機の送受信回路に関する。」（第２頁左上欄第１８行〜右上欄第１行）
　
Ｂ．「第２の本発明は、送受信アンテナ（３）と、送信回路（１）と、受信回路（２）と、送受信アンテナ（３）並びに送信回路（１）及び受信回路（２）間に設けられ、搬送波周波数を異にする送信高周波信号及び受信高周波信号を分離する挿入損失の大きな分離フィルタ（５，６）とを有し、送受信切換え方式のデジタルモード及び送受信同時方式のアナログモードで送受信の可能なデュアルモード通信機の送受信回路において、送信回路（１）及び分離フィルタ（５，６）間に可動接点ｍ及びアナログ側固定接点ａが接続されたアナログ／デジタル切換えスイッチ（１６）と、送信側固定接点ｔがアナログ／デジタル切換えスイッチ（１６）のデジタル側固定接点ｄに接続されると共に、受信側固定接点ｒが分離フィルタ（５，６）に接続された送受信切換えスイッチ（１７）と、送受信アンテナ（３）及び送受信切換えスイッチ（１７）の可動接点ｍ間に接続された送受信切換えスイッチ（１７）の切換えによるスプリアスの高域を阻止する低挿入損失の阻止フィルタ（４）とを有するものである。」（第４頁左下欄第１７行〜右下欄第１６行）
　
Ｃ．「上述せる第２の本発明によれば、デジタルモード時に受信高周波信号が挿入損失の大きな分離フィルタ（５，６）を通過するので、受信時は必要な消費電力が大きく成るが、送信高周波信号は挿入損失の大きな分離フィルタ（５，６）を通過せず、低挿入損失の阻止フィルタ（４）を通過するので、送信高周波信号は高周波増幅器（１２）によってそれほど大きく増幅しなくても良いので、それだけ高周波増幅器（１２）の増幅率は小さくて済む。従って、デジタルモード時の全体の全体の消費電力は、従来例に比べて小さく成る。」（第５頁左上欄第１５行〜右上欄第５行）
　
Ｄ．「次に、第２図を参照して、本発明の実施例（２）を説明する。この実施例（２）は実施例（１）に対し構成の簡単化を図ったもので、この実施例（２）では、実施例（１）におけるＡ／Ｄ切換えスイッチ（１４）、（１５）及びバンドパスフィルタ（７）を省略したものである。尚、第２図において、第１図と対応する部分には同一符号を付して、重複説明は省略する。
　送受信アンテナ（３）をローパスフィルタ（４）を通じて、送受信切換えスイッチ（１７）の可動接点ｍに接続する。Ａ／Ｄ切換えスイッチ（１６）のデジタルモード固定接点ｄを、送受信切換えスイッチ（１７）の送信側固定接点ｔに直接接続する。バンドパスフィルタ（５）の出力側を、受信回路（２）の高周波増幅器（９）に直接接続する。その他の構成は第１図と同様である。
　この実施例では、デジタルモード時に受信高周波信号が挿入損失の大きな誘電体バンドパスフィルタ（５）を通過するので、受信時は必要な消費電力が大きく成るが、送信時は第１図と同様に小さくて済む。従って、デジタルモード時の全体の全体の消費電力は、従来例に比べて小さく成る。」（第６頁右上欄第８行〜左下欄第９行）
　
　上記Ｄの記載中において、第２図に関する説明として「（１３）」、「（６）」の符号に関する説明はないが、上記Ｄの記載中に「第２図において、第１図と対応する部分には同一符号を付して、重複説明は省略する。」とあり、第１図に関する説明中に「入力端子（１３）」（第５頁左下欄第８行）、「（６）は、同じくアナログモード時に、搬送波周波数が例えば８３５ＭＨｚの送信高周波信号を通過させる誘電体バンドパスフィルタ」（第５頁左下欄第１４〜１７行）とあることから、第２図における「（１３）」は「入力端子」を表し、「（６）」は「誘電体バンドパスフィルタ」を表しているものと解される。
　また、引用例１の第２図に記載のものにおいて、送信回路（１）から送受信切換えスイッチ（１７）の可動接点ｍに至る送信信号伝送経路としては、Ａ／Ｄ切換えスイッチ（１６）の可動接点ｍ、アナログ側固定接点ａ、誘電体バンドパスフィルタ（６）、送受信切換えスイッチ（１７）の受信側固定接点ｒを経由する経路と、Ａ／Ｄ切換えスイッチ（１６）の可動接点ｍ、デジタル側固定接点ｄ、送受信切換えスイッチ（１７）の送信側固定接点ｔを経由する経路という二つの経路、すなわち複数の経路が存在するものと解される。
　
　よって、上記Ａ〜Ｄの記載及び第２図を参照すると、引用例１には、次の発明が記載されているものと認められる。（以下、「引用例１記載の発明」という。）
「入力端子（１３）と、
　送受信切換えスイッチ（１７）の可動接点ｍと、
　前記入力端子（１３）と前記送受信切換えスイッチ（１７）の可動接点ｍとを接続する複数の送信信号伝送経路と、
　二つの送信信号伝送経路を切り替えるためのＡ／Ｄ切換えスイッチ（１６）を有する切換え回路と、
　前記切換え回路に接続される誘電体バンドパスフィルタ（６）と、を備え、
　前記切換え回路は、送受信切換え方式のデジタルモードのときは前記誘電体バンドパスフィルタ（６）を介さない送信信号伝送経路に切り換え、送受信同時方式のアナログモードのときは前記誘電体バンドパスフィルタ（６）を介する送信信号伝送経路に切り替える高周波回路。」
　
（引用例２）
Ｅ．「【０００１】
【発明の属する技術分野】本発明は、移動体通信等で用いられる無線移動機に関し、特に、アンテナと送受信回路との間の信号損失を減らしたものである。」
　
Ｆ．「【００１５】（実施の形態１）第１の実施形態における無線移動機は、図１に示すように、送信回路１と、受信回路２と、送信受信を兼用する送受信用アンテナ14が接続するアンテナ端子41と、受信用アンテナ15が接続するアンテナ端子42と、出力用の外部コネクタ端子16と、入力用の外部コネクタ端子17と、各端子41、42、16、17と送信回路１または受信回路２との接続を切換えるスイッチ回路12と、スイッチ回路12の切換えを制御する制御回路13とを備えている。
【００１６】スイッチ回路12は、送信用アンテナ端子41及び出力用外部コネクタ端子16の接続を切換える４つのＳＷ１〜ＳＷ４と、受信用アンテナ端子42または入力用外部コネクタ端子17への接続を選択するＳＷ５とを具備しており、制御回路13の出力信号によって各スイッチ素子が開閉し、各アンテナ端子41、42または外部コネクタ端子16、17を受信回路２及び送信回路１に接続する。
【００１７】この制御回路13は、無線移動機の動作に応じて、スイッチ回路12の内部のスイッチ素子ＳＷ１〜ＳＷ５を図７に示すようにＯＮ／ＯＦＦする。
【００１８】通常通信のときは、送信時に、制御回路13の制御でＳＷ１だけがＯＮになり、送信回路１から出力された信号は、スイッチ回路12を通じて送信アンテナ14へ出力される。また、受信時には、ＳＷ３がＯＮになり、また、ＳＷ５がａを選択することによって、アンテナ14及びアンテナ15に入力された信号が、スイッチ回路12を通じて受信回路２に入力される。
【００１９】外部コネクタモード設定のときは、ＳＷ２がＯＮになり、また、ＳＷ５がｂを選択することによって、送信回路１から出力された信号は、スイッチ回路12を通じて外部コネクタ端子16へ出力され、また、外部コネクタ端子17から入力された信号はスイッチ回路12を通じて受信回路２へ入力する。
【００２０】このように、この無線移動機では、送信回路１及び受信回路２と、各アンテナ端子41、42、または各外部コネクタ端子16、17との切換えが、いずれもスイッチ回路12の内部の１つのスイッチ素子のみで実現される。そのため、信号損失を抑えることができ、特に送信側では、その分、送信回路の出力を低くできるので、低消費電力化が可能となる。」
　
　上記Ｅ，Ｆの記載及び図１を参照すると、引用例２には、次の発明が記載されているものと認められる。（以下、「引用例２記載の発明」という。）
「送信回路及び受信回路と二つのアンテナ端子及び二つの外部コネクタ端子の間の切換えを１つのスイッチ素子のみで実現した無線移動機のスイッチ回路。」
　
３．対比
　本願発明と引用例１記載の発明とを対比すると、まず、引用例１記載の発明における「入力端子（１３）」、「誘電体バンドパスフィルタ（６）」は、それぞれ、本願発明における「送信用ポート」、「フィルタ」に相当する。
　次に、引用例１記載の発明における「送受信切換えスイッチ（１７）の可動接点ｍ」は、阻止フィルタ（４）を介して送受信アンテナ（３）に接続される端子であり、本願発明における「アンテナ用ポート」に対応する構成である。
　また、引用例１記載の発明における「二つの送信信号伝送経路を切り替えるためのＡ／Ｄ切換えスイッチ（１６）を有する切換え回路」は、本願発明における「二つの送信信号伝送経路を切り替えるためのスイッチング素子を有する送信側パス回路」に対応する構成である。
　そして、引用例１記載の発明における「送受信切換え方式のデジタルモード」、「送受信同時方式のアナログモード」は、それぞれ、本願発明における「シングルモード」、「デュプレクスモード」に相当する。
　さらに、引用例１記載の発明における「高周波回路」は、全体として切換えスイッチの機能を奏するものであり、「高周波スイッチ」と称することができる。
　
　よって、本願発明と引用例１記載の発明とは、
「送信用ポートと、
　アンテナ用ポートと、
　前記送信用ポートと前記アンテナ用ポートとを接続する複数の送信信号伝送経路と、
　二つの送信信号伝送経路を切り替えるためのスイッチング素子を有する送信側パス回路と、
　前記送信側パス回路に接続されるフィルタと、を備え、
　前記送信側パス回路は、シングルモードのときは前記フィルタを介さない送信信号伝送経路に切り換え、デュプレクスモードのときは前記フィルタを介する送信信号伝送経路に切り替える高周波スイッチ。」
である点で一致し、次の点で相違する。
　
　相違点１：本願発明は、「二つのアンテナ用ポートおよび二つの外部接続用ポート」を備え、「送信用ポートと二つのアンテナ用ポートおよび二つの外部接続用ポートとを接続する複数の送信信号伝送経路」を備えるのに対し、引用例１記載の発明は、一つのアンテナ用ポートしか備えず、送信用ポートと一つのアンテナ用ポートを接続する複数の送信信号伝送経路しか備えていない点。
　
　相違点２：本願発明は、「送信信号伝送経路のそれぞれに設けられた複数の主スイッチング素子」を備え、「送信側パス回路」が「送信用ポートと複数の主スイッチング素子との間に接続され」るものであり、「フィルタ」が「送信側パス回路と主スイッチング素子との間に接続される」ものであるのに対し、引用例１記載の発明は、「送受信切換えスイッチ（１７）」及び「Ａ／Ｄ切換えスイッチ（１６）」が本願発明における「主スイッチング素子」と同様の機能を奏するものであるものの、「送信信号伝送経路のそれぞれに設けられた複数の主スイッチング素子」を備えるものではない点。
　
４．当審の判断
　そこで、上記相違点１，２について検討する。
　
（相違点１について）
　上記引用例２記載の発明によれば、無線移動機のスイッチ回路において、二つのアンテナ端子及び二つの外部コネクタ端子を備えるようにすることは、周知の構成にすぎない。
　そして、「二つのアンテナ端子及び二つの外部コネクタ端子」のうち、どの端子から送信出力を得るようにするかは、当業者が必要に応じて適宜に選べる事項にすぎないから、「二つのアンテナ端子及び二つの外部コネクタ端子」の全てに対して「送信信号伝送経路」を接続できるようにすることは、当業者が適宜に設計できる事項にすぎないものと認められる。
　したがって、引用例１記載の発明において、上記引用例２記載の発明を参酌し、「二つのアンテナ用ポートおよび二つの外部接続用ポート」を備え、「送信用ポートと二つのアンテナ用ポートおよび二つの外部接続用ポートとを接続する複数の送信信号伝送経路」を備えるようにすることは、当業者が適宜に設計できる事項にすぎないものと認められる。
　
（相違点２について）
　上記引用例２記載の発明は、無線移動機のスイッチ回路において、送信回路及び受信回路と二つのアンテナ端子及び二つの外部コネクタ端子の間の切換えを１つのスイッチ素子のみで実現したものである。
　ここで、上記相違点１でも検討したように、「二つのアンテナ端子及び二つの外部コネクタ端子」のうち、どの端子から送信出力を得るようにするかは、当業者が必要に応じて適宜に選べる事項であり、「二つのアンテナ端子及び二つの外部コネクタ端子」の全てに対して「送信信号伝送経路」を接続できるようにすることは、当業者が適宜に設計できる事項にすぎないから、上記「送信信号伝送経路」それぞれに対して「１つのスイッチ素子」を設けるようにすることも、当業者が適宜に設計できる事項にすぎないものと認められる。
　そして、「送信信号伝送経路」それぞれに対して「１つのスイッチ素子」を設けるようにした場合、該「１つのスイッチ素子」を「送信信号伝送経路」上のどこに設けるかは、当業者が適宜に選べることにすぎないから、該「１つのスイッチ素子」を、「送信用ポート」、「送信側パス回路」、「フィルタ」に対してどのような接続順序関係で設けるかは、当業者が適宜に選べることにすぎないものと認められる。
　したがって、引用例１記載の発明において、「送信信号伝送経路のそれぞれに設けられた複数の主スイッチング素子」を備えるようにし、「送信側パス回路」を「送信用ポートと複数の主スイッチング素子との間に接続され」るものとし、「フィルタ」を「送信側パス回路と主スイッチング素子との間に接続される」ものとすることは、当業者が適宜に設計できる事項にすぎないものと認められる。
　
　そして、本願発明の構成によってもたらされる効果も、引用例１，２に記載の発明から当業者ならば容易に予測することができる程度のものであって、格別のものとはいえない。
　
５．むすび
　したがって、本願発明は、引用例１，２に記載の発明に基いて、当業者が容易に発明をすることができたものであるので、特許法第２９条第２項の規定により特許を受けることができない。
　よって、結論のとおり審決する。